(57)【要約】【課題】動画像を含む文書の再現性が低下することを防止することが可能な情報処理システムを提供すること。【解決手段】情報処理システム１００は、画像配信装置１１０及び画像出力システム１２０を含む。画像配信装置１１０は、文書を表し、アプリケーションプログラムにより読み込まれた場合に当該アプリケーションプログラムを介して当該文書を表示可能にする文書データを受け付け（１１１）、文書が動画像を含む場合、文書データを読み込んだ上記アプリケーションプログラムによって当該文書として表示される静止画像のうちの、互いに異なる複数の時点のそれぞれにて表示される静止画像を表す静止画像データを生成する（１１２）。画像出力システムは、画像配信装置から静止画像データを受信し、静止画像データのそれぞれに対して順に、静止画像データが表す静止画像を表示する。【選択図】図５
2011182208.tif 000002
【特許請求の範囲】
【請求項１】
互いに通信可能に接続された、画像配信装置及び画像出力システムを含む情報処理システムであって、
前記画像配信装置は、
文書を表し、且つ、予め定められたアプリケーションプログラムにより読み込まれた場合に当該アプリケーションプログラムを介して当該文書を表示可能にするデータである文書データを受け付ける文書データ受付手段と、
前記受け付けた文書データが表す文書が動画像を含む場合、当該文書データを読み込んだ前記アプリケーションプログラムによって当該文書として表示される静止画像のうちの、互いに異なる複数の時点のそれぞれにて表示される静止画像を表す静止画像データを生成する静止画像データ生成手段と、
前記生成された静止画像データを前記画像出力システムへ送信する静止画像データ送信手段と、
を備え、
前記画像出力システムは、
前記静止画像データを前記画像配信装置から受信するように構成されるとともに、
前記受信された静止画像データのそれぞれに対して順に、当該静止画像データが表す静止画像を表示する表示処理を行うように構成された情報処理システム。
【請求項２】
請求項１に記載の情報処理システムであって、
前記静止画像データ生成手段は、前記複数の時点のそれぞれに対応する前記静止画像データと対応付けられた情報であって、当該静止画像データが表す静止画像の表示を継続する時間としての、当該静止画像データに対応する時点から、当該複数の時点のうちの後続する時点までの間隔を表す情報である表示継続時間情報を取得するように構成され、
前記静止画像データ送信手段は、前記生成された静止画像データと、前記取得された表示継続時間情報と、を前記画像出力システムへ送信するように構成され、
前記画像出力システムは、
前記静止画像データ、及び、前記表示継続時間情報を前記画像配信装置から受信するように構成されるとともに、
前記受信された静止画像データのそれぞれに対して順に、当該静止画像データが表す静止画像を、前記受信された表示継続時間情報のうちの当該静止画像データと対応付けられた表示継続時間情報が表す時間に亘って表示する前記表示処理を行うように構成された情報処理システム。
【請求項３】
請求項２に記載の情報処理システムであって、
前記画像出力システムは、
ユーザにより入力され、且つ、表示中の静止画像を切り替える旨を指示する情報である静止画像切替指示を受け付けるように構成され、
前記表示継続時間情報は、前記静止画像の表示を継続する時間を表す第１の情報、又は、ユーザから前記静止画像切替指示が受け付けられた時点にて静止画像の表示を終了する旨を表す第２の情報、を含み、
前記画像出力システムは、更に、
表示中の静止画像を表す静止画像データと対応付けられた前記表示継続時間情報が前記第２の情報を含む場合において、前記静止画像切替指示が受け付けられたとき、当該表示中の静止画像の表示を終了するように構成された情報処理システム。
【請求項４】
請求項２又は請求項３に記載の情報処理システムであって、
前記画像出力システムは、画像転送装置と、画像出力装置と、を含み、
前記画像転送装置は、
前記静止画像データ、及び、前記表示継続時間情報を前記画像配信装置から受信する静止画像データ受信手段と、
前記受信された静止画像データを前記画像出力装置へ転送する静止画像データ転送手段と、
前記受信された静止画像データのそれぞれに対して順に、当該静止画像データが表す静止画像が前記画像出力装置によって表示されてから、前記受信された表示継続時間情報のうちの当該静止画像データと対応付けられた表示継続時間情報が表す時間が経過した時点にて、当該表示中の静止画像を切り替える旨を指示する情報である静止画像切替指示を前記画像出力装置へ送信する静止画像切替指示送信手段と、
を備え、
前記画像出力装置は、
前記画像転送装置から前記静止画像データを受信する静止画像データ受信手段と、
前記画像転送装置から前記静止画像切替指示を受信する静止画像切替指示受信手段と、
前記受信された静止画像データのそれぞれに対して順に、当該静止画像データが表す静止画像を、前記静止画像切替指示が受信されるまでの間、表示する前記表示処理を行う静止画像表示手段と、
を備える情報処理システム。
【請求項５】
請求項４に記載の情報処理システムであって、
前記画像転送装置は、携帯電話機であり、
前記画像出力装置は、スクリーンに静止画像を投写することにより当該静止画像を表示するプロジェクタ装置である情報処理システム。
【請求項６】
請求項１乃至請求項５のいずれか一項に記載の情報処理システムであって、
前記静止画像データ生成手段は、前記複数の時点として、前記動画像の再生が開始する時点と、当該動画像の再生が終了する時点と、を用いるように構成された情報処理システム。
【請求項７】
請求項１乃至請求項５のいずれか一項に記載の情報処理システムであって、
前記静止画像データ生成手段は、前記複数の時点として、前記動画像の再生が開始する時点から当該動画像の再生が終了する時点までの間の時点であって、隣接する時点との間の時間間隔を予め設定された抽出周期とする時点を用いるように構成された情報処理システム。
【請求項８】
互いに通信可能に接続された、画像配信装置及び画像出力システムを含む情報処理システムに適用され、
前記画像配信装置が、文書を表し、且つ、予め定められたアプリケーションプログラムにより読み込まれた場合に当該アプリケーションプログラムを介して当該文書を表示可能にするデータである文書データを受け付け、
前記受け付けた文書データが表す文書が動画像を含む場合、前記画像配信装置が、当該文書データを読み込んだ前記アプリケーションプログラムによって当該文書として表示される静止画像のうちの、互いに異なる複数の時点のそれぞれにて表示される静止画像を表す静止画像データを生成し、
前記画像配信装置が、前記生成された静止画像データを前記画像出力システムへ送信し、
前記画像出力システムが、前記静止画像データを前記画像配信装置から受信し、
前記画像出力システムが、前記受信された静止画像データのそれぞれに対して順に、当該静止画像データが表す静止画像を表示する表示処理を行う、情報処理方法。
【請求項９】
画像出力システムと通信可能に接続された画像配信装置であって、
文書を表し、且つ、予め定められたアプリケーションプログラムにより読み込まれた場合に当該アプリケーションプログラムを介して当該文書を表示可能にするデータである文書データを受け付ける文書データ受付手段と、
前記受け付けた文書データが表す文書が動画像を含む場合、当該文書データを読み込んだ前記アプリケーションプログラムによって当該文書として表示される静止画像のうちの、互いに異なる複数の時点のそれぞれにて表示される静止画像を表す静止画像データを生成する静止画像データ生成手段と、
前記生成された静止画像データを前記画像出力システムへ送信する静止画像データ送信手段と、
を備える画像配信装置。
【請求項１０】
画像配信装置と通信可能に接続された画像出力システムであって、
静止画像を表す複数の静止画像データ、及び、当該複数の静止画像データのそれぞれと対応付けられた情報であって、当該静止画像データが表す静止画像の表示を継続する時間を表す情報である表示継続時間情報を前記画像配信装置から受信するように構成されるとともに、
前記受信された静止画像データのそれぞれに対して順に、当該静止画像データが表す静止画像を、前記受信された表示継続時間情報のうちの当該静止画像データと対応付けられた表示継続時間情報が表す時間に亘って表示する表示処理を行うように構成された画像出力システム。
【発明の詳細な説明】
【技術分野】
【０００１】
本発明は、文書データを静止画像データに変換し、当該静止画像データを送信する画像配信装置と、静止画像データを受信して出力する画像出力システムと、を含む情報処理システムに関する。
【背景技術】
【０００２】
文書データを静止画像データに変換し、当該静止画像データを送信する画像配信装置と、静止画像データを受信して出力する画像出力システムと、を含む情報処理システムが知られている（例えば、特許文献１を参照）。
【０００３】
文書データは、例えば、文字、及び、図形等を含む文書を表すデータである。文書データは、所定のアプリケーションプログラムにより読み込まれた場合に当該アプリケーションプログラムを介して文書を表示可能にするデータである。また、静止画像データは、静止画像（静止画）を表すデータであり、且つ、当該静止画像内の各画素の色を特定するためのデータである。
【０００４】
この情報処理システムによれば、画像出力システムが上記アプリケーションプログラムを実行できない場合に、画像出力システムは、文書データを読み込んだアプリケーションプログラムによって上記文書として表示されるだろう静止画像を表示することができる。
【先行技術文献】
【特許文献】
【０００５】
【特許文献１】特開２００８−９７１６８号公報
【発明の概要】
【発明が解決しようとする課題】
【０００６】
ところで、文書は、アニメーション効果が付与された文字又は図形（時間の経過に伴って表示態様が変化する文字又は図形）からなる動画像を含むことがある。しかしながら、上記情報処理システムは、文書が動画像を含む場合であっても、ある１つの時点（例えば、動画像の再生が終了した時点）にてアプリケーションプログラムによって表示される静止画像を表す静止画像データを生成する。
【０００７】
従って、画像出力システムは、受信した静止画像データが表す静止画像を出力した場合であっても、文書に含まれる動画像を再現して出力することができない。即ち、上記情報処理システムによれば、文書の再現性が比較的低いという問題があった。この結果、例えば、文書がプレゼンテーション用の文書である場合には、文書の作成者の意図を損ねたり、聴講者に働きかける効果を弱めてしまったりするという問題があった。
【０００８】
このため、本発明の目的は、上述した課題である「動画像を含む文書の再現性が低下すること」を解決することが可能な情報処理システムを提供することにある。
【課題を解決するための手段】
【０００９】
かかる目的を達成するため本発明の一形態である情報処理システムは、互いに通信可能に接続された、画像配信装置及び画像出力システムを含むシステムである。
【００１０】
更に、上記画像配信装置は、
文書を表し、且つ、予め定められたアプリケーションプログラムにより読み込まれた場合に当該アプリケーションプログラムを介して当該文書を表示可能にするデータである文書データを受け付ける文書データ受付手段と、
上記受け付けた文書データが表す文書が動画像を含む場合、当該文書データを読み込んだ上記アプリケーションプログラムによって当該文書として表示される静止画像のうちの、互いに異なる複数の時点のそれぞれにて表示される静止画像を表す静止画像データを生成する静止画像データ生成手段と、
上記生成された静止画像データを上記画像出力システムへ送信する静止画像データ送信手段と、
を備え、
上記画像出力システムは、
上記静止画像データを上記画像配信装置から受信するように構成されるとともに、
上記受信された静止画像データのそれぞれに対して順に、当該静止画像データが表す静止画像を表示する表示処理を行うように構成される。
【００１１】
また、本発明の他の形態である情報処理方法は、
互いに通信可能に接続された、画像配信装置及び画像出力システムを含む情報処理システムに適用され、
上記画像配信装置が、文書を表し、且つ、予め定められたアプリケーションプログラムにより読み込まれた場合に当該アプリケーションプログラムを介して当該文書を表示可能にするデータである文書データを受け付け、
上記受け付けた文書データが表す文書が動画像を含む場合、上記画像配信装置が、当該文書データを読み込んだ上記アプリケーションプログラムによって当該文書として表示される静止画像のうちの、互いに異なる複数の時点のそれぞれにて表示される静止画像を表す静止画像データを生成し、
上記画像配信装置が、上記生成された静止画像データを上記画像出力システムへ送信し、
上記画像出力システムが、上記静止画像データを上記画像配信装置から受信し、
上記画像出力システムが、上記受信された静止画像データのそれぞれに対して順に、当該静止画像データが表す静止画像を表示する表示処理を行う方法である。
【００１２】
また、本発明の他の形態である画像配信装置は、画像出力システムと通信可能に接続された装置である。
【００１３】
更に、この画像配信装置は、
文書を表し、且つ、予め定められたアプリケーションプログラムにより読み込まれた場合に当該アプリケーションプログラムを介して当該文書を表示可能にするデータである文書データを受け付ける文書データ受付手段と、
上記受け付けた文書データが表す文書が動画像を含む場合、当該文書データを読み込んだ上記アプリケーションプログラムによって当該文書として表示される静止画像のうちの、互いに異なる複数の時点のそれぞれにて表示される静止画像を表す静止画像データを生成する静止画像データ生成手段と、
上記生成された静止画像データを上記画像出力システムへ送信する静止画像データ送信手段と、
を備える。
【００１４】
また、本発明の他の形態であるプログラムは、
画像出力システムと通信可能に接続された画像配信装置に、
文書を表し、且つ、予め定められたアプリケーションプログラムにより読み込まれた場合に当該アプリケーションプログラムを介して当該文書を表示可能にするデータである文書データを受け付ける文書データ受付手段と、
上記受け付けた文書データが表す文書が動画像を含む場合、当該文書データを読み込んだ上記アプリケーションプログラムによって当該文書として表示される静止画像のうちの、互いに異なる複数の時点のそれぞれにて表示される静止画像を表す静止画像データを生成する静止画像データ生成手段と、
上記生成された静止画像データを上記画像出力システムへ送信する静止画像データ送信手段と、
を実現させるためのプログラムである。
【００１５】
また、本発明の他の形態である画像出力システムは、画像配信装置と通信可能に接続されたシステムである。
【００１６】
更に、この画像出力システムは、
静止画像を表す複数の静止画像データ、及び、当該複数の静止画像データのそれぞれと対応付けられた情報であって、当該静止画像データが表す静止画像の表示を継続する時間を表す情報である表示継続時間情報を上記画像配信装置から受信するように構成されるとともに、
上記受信された静止画像データのそれぞれに対して順に、当該静止画像データが表す静止画像を、上記受信された表示継続時間情報のうちの当該静止画像データと対応付けられた表示継続時間情報が表す時間に亘って表示する表示処理を行うように構成される。
【００１７】
また、本発明の他の形態であるプログラムは、
画像配信装置と通信可能に接続された画像出力システムに、
静止画像を表す複数の静止画像データ、及び、当該複数の静止画像データのそれぞれと対応付けられた情報であって、当該静止画像データが表す静止画像の表示を継続する時間を表す情報である表示継続時間情報を上記画像配信装置から受信させるとともに、
上記受信された静止画像データのそれぞれに対して順に、当該静止画像データが表す静止画像を、上記受信された表示継続時間情報のうちの当該静止画像データと対応付けられた表示継続時間情報が表す時間に亘って表示する表示処理を行わせるためのプログラム
【発明の効果】
【００１８】
本発明は、以上のように構成されることにより、動画像を含む文書の再現性が低下することを防止することができる。
【図面の簡単な説明】
【００１９】
【図１】本発明の第１実施形態に係る情報処理システムの概略構成を表す図である。
【図２】本発明の第１実施形態に係る情報処理システムの機能の概略を表すブロック図である。
【図３】本発明の第１実施形態に係る画像配信装置が実行する静止画像データ生成処理プログラムを示したフローチャートである。
【図４】本発明の第１実施形態に係る携帯電話機が実行する静止画像切替指示送信処理プログラムを示したフローチャートである。
【図５】本発明の第２実施形態に係る情報処理システムの機能の概略を表すブロック図である。
【発明を実施するための形態】
【００２０】
以下、本発明に係る、情報処理システム、情報処理方法、画像配信装置、プログラム、及び、画像出力システム、の各実施形態について図１〜図５を参照しながら説明する。
【００２１】
＜第１実施形態＞
（構成）
図１に示したように、第１実施形態に係る情報処理システム（画像配信システム）１は、画像配信装置１０と、携帯電話機（画像転送装置）２０と、プロジェクタ装置（画像出力装置）３０と、を含む。画像配信装置１０、及び、携帯電話機２０は、通信回線ＮＷを介して、互いに通信可能に接続されている。また、携帯電話機２０、及び、プロジェクタ装置３０も、互いに通信可能に接続されている。なお、携帯電話機２０、及び、プロジェクタ装置３０は、画像出力システムを構成している。
【００２２】
画像配信装置１０は、情報処理装置である。画像配信装置１０は、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。画像配信装置１０は、記憶装置に記憶されているプログラムをＣＰＵが実行することにより、後述する機能を実現するように構成されている。なお、画像配信装置１０は、互いに通信可能に接続された複数の情報処理装置により構成されていてもよい。
【００２３】
携帯電話機２０は、図示しないＣＰＵ、記憶装置（メモリ）、入力装置（複数のキーボタン、及び、マイクロフォン等）及び出力装置（ディスプレイ、及び、スピーカ等）を備える。なお、携帯電話機２０は、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、オーディオ端末、又は、ゲーム端末等であってもよい。
【００２４】
携帯電話機２０は、複数のキーボタンを介して、ユーザの操作に基づく情報が入力されるように構成されている。携帯電話機２０は、記憶装置に記憶されているプログラムをＣＰＵが実行することにより、後述する機能を実現するように構成されている。
【００２５】
プロジェクタ装置３０は、図示しないスクリーンに静止画像を投写することにより当該静止画像を表示する装置である。プロジェクタ装置３０は、図示しないＣＰＵ、及び、記憶装置（メモリ）を備える。プロジェクタ装置３０は、記憶装置に記憶されているプログラムをＣＰＵが実行することにより、後述する機能を実現するように構成されている。
【００２６】
（機能）
図２は、上記のように構成された情報処理システム１の機能を表すブロック図である。
画像配信装置１０の機能は、文書データ受付部（文書データ受付手段）１１と、静止画像データ生成部（静止画像データ生成手段）１２と、静止画像データ記憶部１３と、静止画像データ送信部（静止画像データ送信手段）１４と、を含む。
【００２７】
文書データ受付部１１は、文書データを受け付ける。文書データは、文書を表し、且つ、予め定められたアプリケーションプログラムにより読み込まれた場合に当該アプリケーションプログラムを介して当該文書を表示可能にするデータである。また、文書データは、上記アプリケーションプログラムにより読み込まれた場合に当該アプリケーションプログラムを介して当該文書を編集可能にするデータであってもよい。
【００２８】
ここで、文書は、文字及び図形の少なくとも一方を含む。本例では、文書は、プレゼンテーション用の文書である。
【００２９】
本例では、画像配信装置１０は、図示しない情報処理装置（例えば、パーソナル・コンピュータ等）から文書データを受信することにより、当該文書データを受け付けるように構成されている。
【００３０】
静止画像データ生成部１２は、文書データ受付部１１により受け付けられた文書データが表す文書が含む各ページに対して、静止画像データ生成処理を実行する。静止画像データ生成処理は、下記（１）〜（３）の処理からなる。
【００３１】
（１）静止画像データ生成部１２は、受け付けられた文書データが表す文書のうちの処理対象となるページ（処理対象ページ）が動画像を含むか否かを判定する。本例では、動画像は、文書に含まれる文字又は図形であって、時間の経過に伴って表示態様が変化する文字又は図形からなる。例えば、動画像は、時間の経過に伴って徐々に縮小若しくは拡大される文字若しくは図形、時間の経過に伴って移動若しくは回転する文字若しくは図形、時間の経過に伴って出現若しくは消滅する文字若しくは図形、又は、時間の経過に伴って色若しくは形状が変化する文字若しくは図形等である。
【００３２】
（２）静止画像データ生成部１２は、上記処理対象ページが動画像を含まないと判定した場合、当該文書データを読み込んだ上記アプリケーションプログラムによって当該処理対象ページとして表示される静止画像を表す静止画像データを生成する。即ち、静止画像データ生成部１２は、１つの静止画像データを生成する。なお、静止画像データは、静止画像を表すデータであり、且つ、当該静止画像内の各画素の色を特定するためのデータである。
【００３３】
（３）静止画像データ生成部１２は、上記処理対象ページが動画像を含むと判定した場合、当該文書データを読み込んだ上記アプリケーションプログラムによって当該処理対象ページとして表示される静止画像のうちの、互いに異なる複数の時点のそれぞれにて表示される静止画像を表す静止画像データを生成する。即ち、静止画像データ生成部１２は、複数の時点のそれぞれに対応する複数の静止画像データを生成する。
【００３４】
このとき、静止画像データ生成部１２は、上記複数の時点として、処理対象ページに含まれる動画像の再生が開始する時点と、当該動画像の再生が終了する時点と、を用いる。
【００３５】
更に、この場合、静止画像データ生成部１２は、生成した静止画像データのそれぞれと対応付けられた表示継続時間情報を取得する。表示継続時間情報は、第１の情報、又は、第２の情報を含む。
【００３６】
第１の情報は、当該表示継続時間情報と対応付けられた静止画像データが表す静止画像の表示を継続する時間を表す情報である。第２の情報は、ユーザから静止画像切替指示が受け付けられた時点にて静止画像の表示を終了する旨を表す情報である。ここで、静止画像切替指示は、表示中の静止画像を切り替える旨を指示する情報である。本例では、第１の情報は、正の実数を表す情報であり、第２の情報は、負の実数（例えば、「−１」）を表す情報である。
【００３７】
具体的には、静止画像データ生成部１２は、各静止画像データと対応付けられた表示継続時間情報として、当該静止画像データに対応する時点（即ち、当該静止画像データが表す静止画像が表示される時点）から、上記複数の時点のうちの後続する時点までの間隔を表す第１の情報を取得する。
【００３８】
なお、静止画像データ生成部１２は、処理対象ページに含まれる動画像が、ユーザから再生開始指示が受け付けられた時点にて再生を開始するように設定されている場合、当該動画像の再生を開始する直前の時点にて表示される静止画像を表す静止画像データと対応付けられる表示継続時間情報として第２の情報を取得する。再生開始指示は、動画像の再生を開始する旨を指示する情報である。
【００３９】
また、静止画像データ生成部１２は、処理対象ページに含まれる動画像が時間の経過に伴って自動的に再生を開始するように設定されている場合、当該動画像の再生を開始する直前の時点にて表示される静止画像を表す静止画像データと対応付けられる表示継続時間情報として第１の情報を取得する。
【００４０】
このようにして、静止画像データ生成部１２は、文書データ受付部１１により受け付けられた文書データが表す文書が含む複数のページのそれぞれに対して、静止画像データ生成処理を実行する。
【００４１】
静止画像データ記憶部１３は、静止画像データ生成部１２により生成された静止画像データと、当該静止画像データが表す静止画像が表示されるべき順序を表す表示順序情報と、静止画像データ生成部１２により当該静止画像データと対応付けて取得された表示継続時間情報と、当該静止画像データを生成する基となった文書を識別するための文書識別情報と、を対応付けて記憶する。
【００４２】
静止画像データ送信部１４は、携帯電話機２０から静止画像送信要求を受信する。静止画像送信要求は、静止画像データの送信を要求する旨を表す情報である。静止画像送信要求は、文書識別情報を含む。
【００４３】
静止画像データ送信部１４は、静止画像送信要求を受信した場合に、当該静止画像送信要求に含まれる文書識別情報と対応付けて静止画像データ記憶部１３に記憶されている、静止画像データ、表示順序情報、及び、表示継続時間情報を、携帯電話機２０へ送信する。
【００４４】
携帯電話機２０の機能は、静止画像データ受信部（静止画像データ受信手段）２１と、静止画像データ転送部（静止画像データ転送手段）２２と、静止画像切替指示送信部（静止画像切替指示送信手段）２３と、を含む。
【００４５】
静止画像データ受信部２１は、ユーザにより入力装置を介して入力された文書識別情報を受け付ける。静止画像データ受信部２１は、文書識別情報を受け付けた場合、当該文書識別情報を含む静止画像送信要求を画像配信装置１０へ送信する。
【００４６】
静止画像データ受信部２１は、画像配信装置１０から、静止画像データ、表示順序情報、及び、表示継続時間情報を受信する。
【００４７】
静止画像データ転送部２２は、静止画像データ受信部２１により、静止画像データ、表示順序情報、及び、表示継続時間情報が受信された場合、当該受信された、静止画像データ、及び、表示順序情報を、プロジェクタ装置３０へ送信（転送）する。
【００４８】
静止画像切替指示送信部２３は、静止画像データ受信部２１により受信された静止画像データのそれぞれに対して、受信された表示順序情報が表す順序に従った順に、静止画像切替指示送信処理を行う。
【００４９】
具体的には、静止画像切替指示送信部２３は、静止画像切替指示送信処理の対象である静止画像データと対応付けられた表示継続時間情報が第１の情報を含む場合、当該静止画像データが表す静止画像がプロジェクタ装置３０によって表示されてから、当該表示継続時間情報が表す時間が経過した時点にて、静止画像切替指示をプロジェクタ装置３０へ送信する。
【００５０】
即ち、携帯電話機２０及びプロジェクタ装置３０は、表示中の静止画像を表す静止画像データと対応付けられた表示継続時間情報が第１の情報を含む場合、当該表示中の静止画像を、当該表示継続時間情報が表す時間に亘って表示するように構成されている。
【００５１】
また、静止画像切替指示送信部２３は、静止画像切替指示送信処理の対象である静止画像データと対応付けられた表示継続時間情報が第２の情報を含む場合、ユーザにより入力装置を介して入力される静止画像切替指示を受け付けるまで待機する。そして、静止画像切替指示送信部２３は、静止画像切替指示を受け付けた時点にて、静止画像切替指示をプロジェクタ装置３０へ送信する。
【００５２】
即ち、携帯電話機２０及びプロジェクタ装置３０は、表示中の静止画像を表す静止画像データと対応付けられた表示継続時間情報が第２の情報を含む場合において、静止画像切替指示が受け付けられたとき、当該表示中の静止画像の表示を終了するように構成されている。
【００５３】
プロジェクタ装置３０の機能は、静止画像データ受信部（静止画像データ受信手段）３１と、静止画像切替指示受信部（静止画像切替指示受信手段）３２と、静止画像表示部（静止画像表示手段）３３と、を含む。
【００５４】
静止画像データ受信部３１は、携帯電話機２０から、静止画像データ、及び、表示順序情報を受信する。
静止画像切替指示受信部３２は、携帯電話機２０から静止画像切替指示を受信する。
静止画像表示部３３は、静止画像データ受信部３１により受信された静止画像データのそれぞれに対して、受信された表示順序情報が表す順序に従った順に、表示処理を行う。
【００５５】
具体的には、静止画像表示部３３は、表示処理の対象である静止画像データが表す静止画像を、スクリーンに投写することにより当該静止画像を表示する。
静止画像表示部３３は、静止画像切替指示受信部３２により静止画像切替指示が受信された場合、表示中の静止画像を切り替える。即ち、静止画像表示部３３は、表示順序情報が表す順序に従って、次に表示処理の対象となる静止画像データが表す静止画像を表示する。
【００５６】
即ち、静止画像表示部３３は、静止画像データ受信部３１により受信された静止画像データのそれぞれに対して順に、当該静止画像データが表す静止画像を、静止画像切替指示が受信されるまでの間、表示する表示処理を行う、と言うことができる。
【００５７】
（作動）
次に、上述した情報処理システム１の作動について説明する。
先ず、画像配信装置１０が文書データに基づいて静止画像データを生成する際の作動について説明する。
【００５８】
画像配信装置１０のＣＰＵは、図３にフローチャートにより示した静止画像データ生成処理プログラムを、文書データを受け付ける毎に実行するようになっている。
【００５９】
具体的に述べると、画像配信装置１０は、静止画像データ生成処理プログラムの処理を開始すると、受け付けた文書データが表す文書に含まれるページ数（文書内のページ数）Ｐｃを取得する（ステップＳ１０１）。
【００６０】
次いで、画像配信装置１０は、処理対象となるページ番号である処理対象ページ番号ｉを初期値（ここでは、「１」）に設定する（ステップＳ１０２）。そして、画像配信装置１０は、ｉページに含まれる動画像の数である動画像数Ａｃ（ｉ）を取得する（ステップＳ１０３）。
【００６１】
次いで、画像配信装置１０は、ｉページ内の動画像数Ａｃ（ｉ）が「０」よりも大きいか否かを判定する（ステップＳ１０４）。
いま、動画像数Ａｃ（ｉ）が「０」よりも大きい場合を想定して説明を続ける。この場合、画像配信装置１０は、ステップＳ１０４にて「Ｙｅｓ」と判定してステップＳ１０５へ進む。
【００６２】
そして、画像配信装置１０は、ｉページ内の各動画像の属性情報を取得する。ここで、属性情報は、各動画像が再生される順序を表す再生順序情報、及び、各動画像の再生を開始するトリガーを表すトリガー情報を含む。例えば、トリガー情報は、ユーザから再生開始指示が受け付けられた時点にて再生を開始する旨を表す情報、又は、所定の待機時間の経過に伴って自動的に再生を開始する旨を表す情報等を含む。
【００６３】
そして、画像配信装置１０は、ステップＳ１０６に進んで、ｉページの初期の表示状態（即ち、すべての動画像の再生が開始する前の時点）にて、当該文書データを読み込んだ上記アプリケーションプログラムによって当該文書のうちのｉページとして表示される静止画像を表す静止画像データを生成する（即ち、ｉページを初期表示状態にて画像化する）。
【００６４】
次いで、画像配信装置１０は、ステップＳ１０６にて生成された静止画像データと対応付けられる表示継続時間情報Ｄｔ（ｉ，０）を取得する（ステップＳ１０７）。
具体的には、画像配信装置１０は、ｉページ内の動画像のうちの最初に再生が開始される動画像１に対するトリガー情報が、所定の待機時間の経過に伴って自動的に再生を開始する旨を表す情報を含む場合、表示継続時間情報Ｄｔ（ｉ，０）として、当該待機時間を表す情報（第１の情報）を取得する。
【００６５】
また、画像配信装置１０は、ｉページ内の動画像のうちの最初に再生が開始される動画像１に対するトリガー情報が、ユーザから再生開始指示が受け付けられた時点にて再生を開始する旨を表す情報を含む場合、表示継続時間情報Ｄｔ（ｉ，０）として「−１」を表す情報（第２の情報）を取得する。
【００６６】
そして、画像配信装置１０は、処理対象となる動画像番号である処理対象動画像番号ｊを初期値（ここでは、「１」）に設定する（ステップＳ１０８）。
【００６７】
次いで、画像配信装置１０は、ステップＳ１０９に進んで、ｉページの動画像ｊの再生終了時点の表示状態（即ち、動画像ｊの再生が終了した時点）にて、当該文書データを読み込んだ上記アプリケーションプログラムによって当該文書のうちのｉページとして表示される静止画像を表す静止画像データを生成する（即ち、ｉページを動画像ｊの再生終了時点の表示状態にて画像化する）。
【００６８】
そして、画像配信装置１０は、ステップＳ１０９にて生成された静止画像データと対応付けられる表示継続時間情報Ｄｔ（ｉ，ｊ）を取得する（ステップＳ１１０）。
具体的には、画像配信装置１０は、ｉページ内の動画像のうちの動画像ｊの次に再生が開始される動画像（即ち、動画像ｊ＋１）に対するトリガー情報が、所定の待機時間の経過に伴って自動的に再生を開始する旨を表す情報を含む場合、表示継続時間情報Ｄｔ（ｉ，ｊ）として、当該待機時間を表す情報（第１の情報）を取得する。
【００６９】
また、画像配信装置１０は、ｉページ内の動画像のうちの動画像ｊの次に再生が開始される動画像（即ち、動画像ｊ＋１）に対するトリガー情報が、ユーザから再生開始指示が受け付けられた時点にて再生を開始する旨を表す情報を含む場合、表示継続時間情報Ｄｔ（ｉ，ｊ）として「−１」を表す情報（第２の情報）を取得する。
【００７０】
そして、画像配信装置１０は、処理対象動画像番号ｊに「１」を加算する（ステップＳ１１１）。次いで、画像配信装置１０は、処理対象動画像番号ｊが、動画像数Ａｃ（ｉ）に「１」を加算した値Ａｃ（ｉ）＋１よりも小さいか否かを判定する（ステップＳ１１２）。
【００７１】
画像配信装置１０は、処理対象動画像番号ｊが値Ａｃ（ｉ）＋１以上となるまでの間、ステップＳ１０９〜ステップＳ１１２の処理を繰り返し実行する。
そして、処理対象動画像番号ｊが値Ａｃ（ｉ）＋１以上となると、画像配信装置１０は、ステップＳ１１２にて「Ｎｏ」と判定してステップＳ１１３に進む。
【００７２】
次いで、画像配信装置１０は、処理対象ページ番号ｉに「１」を加算する（ステップＳ１１３）。次いで、画像配信装置１０は、処理対象ページ番号ｉが、文書内のページ数Ｐｃに「１」を加算した値Ｐｃ＋１よりも小さいか否かを判定する（ステップＳ１１４）。
【００７３】
画像配信装置１０は、処理対象ページ番号ｉが値Ｐｃ＋１以上となるまでの間、ステップＳ１０３〜ステップＳ１１６の処理を繰り返し実行する。
そして、処理対象ページ番号ｉが値Ｐｃ＋１以上となると、画像配信装置１０は、ステップＳ１１４にて「Ｎｏ」と判定して、この静止画像データ生成処理プログラムの処理を一旦終了する。
【００７４】
なお、画像配信装置１０は、ｉページ内の動画像数Ａｃ（ｉ）が「０」である場合、ステップＳ１０４にて「Ｎｏ」と判定してステップＳ１１５へ進む。そして、画像配信装置１０は、当該文書データを読み込んだ上記アプリケーションプログラムによって当該文書のうちのｉページとして表示される静止画像を表す静止画像データを生成する（即ち、ｉページを画像化する）。
【００７５】
次いで、画像配信装置１０は、ステップＳ１１５にて生成された静止画像データと対応付けられる表示継続時間情報Ｄｔ（ｉ，ｊ）を負の実数（本例では、「−１」）に設定する（ステップＳ１１６）。
その後、画像配信装置１０は、ステップＳ１１３へ進む。
【００７６】
このようにして、画像配信装置１０は、文書データを受け付けた場合、静止画像データを生成するとともに、表示継続時間情報を取得する。
【００７７】
例えば、３ページ目に２つの動画像を含み、且つ、１番目の動画像が、ユーザから再生開始指示が受け付けられた時点にて再生を開始するように設定されるとともに、２番目の動画像が、１番目の動画像の再生の開始から５秒後に自動的に再生を開始するように設定されている文書を表す文書データを画像配信装置１０が受け付けた場合を想定する。
【００７８】
この場合、画像配信装置１０は、表示継続時間情報として、表示継続時間情報Ｄｔ（３，０）＝−１、表示継続時間情報Ｄｔ（３，１）＝５、及び、表示継続時間情報Ｄｔ（３，２）＝−１を取得する。
【００７９】
そして、画像配信装置１０は、生成された静止画像データと、当該静止画像データが表す静止画像が表示されるべき順序を表す表示順序情報と、当該静止画像データと対応付けて取得された表示継続時間情報と、当該静止画像データを生成する基となった文書を識別するための文書識別情報と、を対応付けて記憶装置に記憶させる。
【００８０】
その後、携帯電話機２０のユーザは、入力装置を介して文書識別情報を入力する。これにより、携帯電話機２０は、入力された文書識別情報を含む静止画像送信要求を画像配信装置１０へ送信する。
【００８１】
これにより、画像配信装置１０は、静止画像送信要求を受信し、受信した静止画像送信要求に含まれる文書識別情報と対応付けて記憶装置に記憶されている、静止画像データ、表示順序情報、及び、表示継続時間情報を、携帯電話機２０へ送信する。
【００８２】
携帯電話機２０は、静止画像データ、表示順序情報、及び、表示継続時間情報を、画像配信装置１０から受信すると、受信した、静止画像データ、及び、表示順序情報を、プロジェクタ装置３０へ送信（転送）する。
【００８３】
これにより、プロジェクタ装置３０は、静止画像データ、及び、表示順序情報を携帯電話機２０から受信する。
【００８４】
次に、携帯電話機２０のユーザは、入力装置を介して表示開始指示を入力する。表示開始指示は、静止画像の表示を開始する旨を表す情報である。これにより、携帯電話機２０は、表示開始指示をプロジェクタ装置３０へ送信する。プロジェクタ装置３０は、表示開始指示を受信すると、受信した静止画像データが表す静止画像のうちの、受信した表示順序情報が表す情報にて、最初に表示すべき静止画像を表示する。
【００８５】
更に、携帯電話機２０のＣＰＵは、表示開始指示を送信した場合、図４にフローチャートにより示した静止画像切替指示送信処理プログラムを実行する。
【００８６】
具体的に述べると、携帯電話機２０は、静止画像切替指示送信処理プログラムの処理を開始すると、ステップＳ２０１にて、処理対象ページ番号ｉを初期値（ここでは、「１」）に設定する。
【００８７】
次いで、携帯電話機２０は、処理対象動画像番号ｊを初期値（ここでは、「０」）に設定する（ステップＳ２０２）。そして、携帯電話機２０は、表示継続時間情報Ｄｔ（ｉ，ｊ）が「０」よりも大きいか否かを判定する（ステップＳ２０３）。
【００８８】
いま、表示継続時間情報Ｄｔ（ｉ，ｊ）が「０」よりも大きい場合を想定する。この場合、携帯電話機２０は、ステップＳ２０３にて「Ｙｅｓ」と判定してステップＳ２０４にて、表示継続時間情報Ｄｔ（ｉ，ｊ）が表す時間だけ待機する。
【００８９】
そして、携帯電話機２０は、ステップＳ２０５へ進み、静止画像切替指示をプロジェクタ装置３０へ送信する。
【００９０】
これにより、プロジェクタ装置３０は、表示中の静止画像の表示を終了し、受信した静止画像データが表す静止画像のうちの、受信した表示順序情報が表す情報にて、次に表示すべき静止画像を表示する（即ち、表示中の静止画像を切り替える）。
【００９１】
次いで、携帯電話機２０は、ステップＳ２０６へ進み、処理対象動画像番号ｊに「１」を加算する。そして、携帯電話機２０は、処理対象動画像番号ｊが、動画像数Ａｃ（ｉ）に「１」を加算した値Ａｃ（ｉ）＋１よりも小さいか否かを判定する（ステップＳ２０７）。
【００９２】
携帯電話機２０は、処理対象動画像番号ｊが値Ａｃ（ｉ）＋１以上となるまでの間、ステップＳ２０３〜ステップＳ２０７の処理を繰り返し実行する。
そして、処理対象動画像番号ｊが値Ａｃ（ｉ）＋１以上となると、携帯電話機２０は、ステップＳ２０７にて「Ｎｏ」と判定してステップＳ２０８に進む。
【００９３】
次いで、携帯電話機２０は、処理対象ページ番号ｉに「１」を加算する（ステップＳ２０８）。次いで、携帯電話機２０は、処理対象ページ番号ｉが、文書内のページ数Ｐｃに「１」を加算した値Ｐｃ＋１よりも小さいか否かを判定する（ステップＳ２０９）。
【００９４】
携帯電話機２０は、処理対象ページ番号ｉが値Ｐｃ＋１以上となるまでの間、ステップＳ２０２〜ステップＳ２０９の処理を繰り返し実行する。
そして、処理対象ページ番号ｉが値Ｐｃ＋１以上となると、携帯電話機２０は、ステップＳ２０９にて「Ｎｏ」と判定して、この静止画像切替指示送信処理プログラムの処理を一旦終了する。
【００９５】
なお、携帯電話機２０は、表示継続時間情報Ｄｔ（ｉ，ｊ）が「０」以下である場合、ステップＳ２０３にて「Ｎｏ」と判定してステップＳ２１０へ進む。そして、携帯電話機２０は、ユーザにより入力された静止画像切替指示を受け付けるまで待機する。そして、携帯電話機２０は、静止画像切替指示を受け付けると、ステップＳ２１０にて「Ｙｅｓ」と判定してステップＳ２０５へ進む。
【００９６】
このようにして、携帯電話機２０及びプロジェクタ装置３０は、画像配信装置１０から受信した静止画像データのそれぞれに対して順に、当該静止画像データが表す静止画像を表示する表示処理を行う。
【００９７】
更に、携帯電話機２０及びプロジェクタ装置３０は、表示中の静止画像を表す静止画像データと対応付けられた表示継続時間情報が第１の情報を含む場合、当該表示中の静止画像を、当該表示継続時間情報が表す時間に亘って表示する。また、携帯電話機２０及びプロジェクタ装置３０は、表示中の静止画像を表す静止画像データと対応付けられた表示継続時間情報が第２の情報を含む場合において、静止画像切替指示が受け付けられたとき、当該表示中の静止画像の表示を終了する。
【００９８】
以上、説明したように、本発明の第１実施形態に係る情報処理システムによれば、画像出力システム（本例では、プロジェクタ装置３０）は、文書データを読み込んだアプリケーションプログラムによって文書として表示される静止画像のうちの、互いに異なる複数の時点のそれぞれにて表示される静止画像を表示することができる。即ち、画像出力システムは、文書に動画像が含まれている場合であっても、動画像の少なくとも一部を再現して出力することができる。
【００９９】
このように、情報処理システム１によれば、文書データを静止画像データに変換し、画像出力システムに静止画像データを出力させる場合において、動画像を含む文書の再現性が低下することを防止することができる。
【０１００】
更に、情報処理システム１によれば、画像配信装置１０は、各静止画像の表示を継続する時間を表す表示継続時間情報を取得し、取得した表示継続時間情報を画像出力システムへ送信する。
これによれば、画像出力システムは、文書に含まれる動画像と同期させながら、各静止画像を表示させることができる。従って、動画像を含む文書の再現性をより一層向上させることができる。
【０１０１】
加えて、情報処理システム１によれば、文書に含まれる動画像が、ユーザからの指示によって再生を開始するように設定されている場合に、当該動画像に対応する静止画像を、ユーザからの指示によって表示させることができる。これにより、動画像を含む文書の再現性を高めることができる。
【０１０２】
ところで、第１実施形態において、静止画像データ生成部１２は、上記複数の時点として、文書に含まれる動画像の再生が開始する時点と、当該動画像の再生が終了する時点と、を用いていた。
【０１０３】
なお、第１実施形態の変形例において、静止画像データ生成部１２は、上記複数の時点として、文書に含まれる動画像の再生が開始する時点から当該動画像の再生が終了する時点までの間の時点であって、隣接する時点との間の時間間隔を予め設定された抽出周期（例えば、１秒間）とする時点を用いてもよい。即ち、この場合、静止画像データ生成部１２は、抽出周期毎に上記アプリケーションプログラムによって文書として表示される静止画像を表す静止画像データを生成する。
【０１０４】
また、第１実施形態において、画像出力システムは、携帯電話機２０及びプロジェクタ装置３０を含んでいた。なお、第１実施形態の変形例において、画像出力システムは、携帯電話機２０のみにより構成されていてもよい。この場合、携帯電話機２０は、画像配信装置１０から受信した静止画像データが表す静止画像を、携帯電話機２０が備えるディスプレイに表示させる。
【０１０５】
また、第１実施形態の他の変形例において、画像出力システムは、プロジェクタ装置３０のみにより構成されていてもよい。この場合、プロジェクタ装置３０は、画像配信装置１０から直接に静止画像データ等を受信するとともに、静止画像切替指示送信部２３の機能も有することが好適である。
【０１０６】
＜第２実施形態＞
次に、本発明の第２実施形態に係る情報処理システムについて図５を参照しながら説明する。
第２実施形態に係る情報処理システム１００は、互いに通信可能に接続された、画像配信装置１１０及び画像出力システム１２０を含むシステムである。
【０１０７】
更に、画像配信装置１１０は、
文書を表し、且つ、予め定められたアプリケーションプログラムにより読み込まれた場合に当該アプリケーションプログラムを介して当該文書を表示可能にするデータである文書データを受け付ける文書データ受付部（文書データ受付手段）１１１と、
上記受け付けた文書データが表す文書が動画像を含む場合、当該文書データを読み込んだ上記アプリケーションプログラムによって当該文書として表示される静止画像のうちの、互いに異なる複数の時点のそれぞれにて表示される静止画像を表す静止画像データを生成する静止画像データ生成部（静止画像データ生成手段）１１２と、
上記生成された静止画像データを画像出力システム１２０へ送信する静止画像データ送信部（静止画像データ送信手段）１１３と、
を備える。
【０１０８】
画像出力システム１２０は、
上記静止画像データを画像配信装置１１０から受信するように構成されるとともに、
上記受信された静止画像データのそれぞれに対して順に、当該静止画像データが表す静止画像を表示する表示処理を行うように構成される。
【０１０９】
これによれば、画像出力システム１２０は、文書データを読み込んだアプリケーションプログラムによって文書として表示される静止画像のうちの、互いに異なる複数の時点のそれぞれにて表示される静止画像を表示することができる。即ち、画像出力システム１２０は、文書に動画像が含まれている場合であっても、動画像の少なくとも一部を再現して出力することができる。
【０１１０】
このように、情報処理システム１００によれば、文書データを静止画像データに変換し、画像出力システムに静止画像データを出力させる場合において、動画像を含む文書の再現性が低下することを防止することができる。
【０１１１】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１１２】
なお、上記各実施形態において情報処理システム１の各機能は、ＣＰＵがプログラム（ソフトウェア）を実行することにより実現されていたが、回路等のハードウェアにより実現されていてもよい。
【０１１３】
また、上記実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１１４】
また、上記実施形態の他の変形例として、上述した実施形態及び変形例の任意の組み合わせが採用されてもよい。
【０１１５】
＜付記＞
上記実施形態の一部又は全部は、以下の付記のように記載され得るが、以下には限られない。
【０１１６】
（付記１）
互いに通信可能に接続された、画像配信装置及び画像出力システムを含む情報処理システムであって、
前記画像配信装置は、
文書を表し、且つ、予め定められたアプリケーションプログラムにより読み込まれた場合に当該アプリケーションプログラムを介して当該文書を表示可能にするデータである文書データを受け付ける文書データ受付手段と、
前記受け付けた文書データが表す文書が動画像を含む場合、当該文書データを読み込んだ前記アプリケーションプログラムによって当該文書として表示される静止画像のうちの、互いに異なる複数の時点のそれぞれにて表示される静止画像を表す静止画像データを生成する静止画像データ生成手段と、
前記生成された静止画像データを前記画像出力システムへ送信する静止画像データ送信手段と、
を備え、
前記画像出力システムは、
前記静止画像データを前記画像配信装置から受信するように構成されるとともに、
前記受信された静止画像データのそれぞれに対して順に、当該静止画像データが表す静止画像を表示する表示処理を行うように構成された情報処理システム。
【０１１７】
これによれば、画像出力システムは、文書データを読み込んだアプリケーションプログラムによって文書として表示される静止画像のうちの、互いに異なる複数の時点のそれぞれにて表示される静止画像を表示することができる。即ち、画像出力システムは、文書に動画像が含まれている場合であっても、動画像の少なくとも一部を再現して出力することができる。
【０１１８】
このように、上記情報処理システムによれば、文書データを静止画像データに変換し、画像出力システムに静止画像データを出力させる場合において、動画像を含む文書の再現性が低下することを防止することができる。
【０１１９】
（付記２）
付記１に記載の情報処理システムであって、
前記静止画像データ生成手段は、前記複数の時点のそれぞれに対応する前記静止画像データと対応付けられた情報であって、当該静止画像データが表す静止画像の表示を継続する時間としての、当該静止画像データに対応する時点から、当該複数の時点のうちの後続する時点までの間隔を表す情報である表示継続時間情報を取得するように構成され、
前記静止画像データ送信手段は、前記生成された静止画像データと、前記取得された表示継続時間情報と、を前記画像出力システムへ送信するように構成され、
前記画像出力システムは、
前記静止画像データ、及び、前記表示継続時間情報を前記画像配信装置から受信するように構成されるとともに、
前記受信された静止画像データのそれぞれに対して順に、当該静止画像データが表す静止画像を、前記受信された表示継続時間情報のうちの当該静止画像データと対応付けられた表示継続時間情報が表す時間に亘って表示する前記表示処理を行うように構成された情報処理システム。
【０１２０】
これによれば、画像出力システムは、文書に含まれる動画像と同期させながら、各静止画像を表示させることができる。従って、動画像を含む文書の再現性をより一層向上させることができる。
【０１２１】
（付記３）
付記２に記載の情報処理システムであって、
前記画像出力システムは、
ユーザにより入力され、且つ、表示中の静止画像を切り替える旨を指示する情報である静止画像切替指示を受け付けるように構成され、
前記表示継続時間情報は、前記静止画像の表示を継続する時間を表す第１の情報、又は、ユーザから前記静止画像切替指示が受け付けられた時点にて静止画像の表示を終了する旨を表す第２の情報、を含み、
前記画像出力システムは、更に、
表示中の静止画像を表す静止画像データと対応付けられた前記表示継続時間情報が前記第２の情報を含む場合において、前記静止画像切替指示が受け付けられたとき、当該表示中の静止画像の表示を終了するように構成された情報処理システム。
【０１２２】
これによれば、文書に含まれる動画像が、ユーザからの指示によって再生を開始するように設定されている場合に、当該動画像に対応する静止画像を、ユーザからの指示によって表示させることができる。これにより、動画像を含む文書の再現性を高めることができる。
【０１２３】
（付記４）
付記２又は付記３に記載の情報処理システムであって、
前記画像出力システムは、画像転送装置と、画像出力装置と、を含み、
前記画像転送装置は、
前記静止画像データ、及び、前記表示継続時間情報を前記画像配信装置から受信する静止画像データ受信手段と、
前記受信された静止画像データを前記画像出力装置へ転送する静止画像データ転送手段と、
前記受信された静止画像データのそれぞれに対して順に、当該静止画像データが表す静止画像が前記画像出力装置によって表示されてから、前記受信された表示継続時間情報のうちの当該静止画像データと対応付けられた表示継続時間情報が表す時間が経過した時点にて、当該表示中の静止画像を切り替える旨を指示する情報である静止画像切替指示を前記画像出力装置へ送信する静止画像切替指示送信手段と、
を備え、
前記画像出力装置は、
前記画像転送装置から前記静止画像データを受信する静止画像データ受信手段と、
前記画像転送装置から前記静止画像切替指示を受信する静止画像切替指示受信手段と、
前記受信された静止画像データのそれぞれに対して順に、当該静止画像データが表す静止画像を、前記静止画像切替指示が受信されるまでの間、表示する前記表示処理を行う静止画像表示手段と、
を備える情報処理システム。
【０１２４】
（付記５）
付記４に記載の情報処理システムであって、
前記画像転送装置は、携帯電話機であり、
前記画像出力装置は、スクリーンに静止画像を投写することにより当該静止画像を表示するプロジェクタ装置である情報処理システム。
【０１２５】
（付記６）
付記１乃至付記５のいずれか一項に記載の情報処理システムであって、
前記静止画像データ生成手段は、前記複数の時点として、前記動画像の再生が開始する時点と、当該動画像の再生が終了する時点と、を用いるように構成された情報処理システム。
【０１２６】
（付記７）
付記１乃至付記５のいずれか一項に記載の情報処理システムであって、
前記静止画像データ生成手段は、前記複数の時点として、前記動画像の再生が開始する時点から当該動画像の再生が終了する時点までの間の時点であって、隣接する時点との間の時間間隔を予め設定された抽出周期とする時点を用いるように構成された情報処理システム。
【０１２７】
（付記８）
付記１乃至付記７のいずれか一項に記載の情報処理システムであって、
前記動画像は、時間の経過に伴って表示態様が変化する文字又は図形からなる情報処理システム。
【０１２８】
（付記９）
互いに通信可能に接続された、画像配信装置及び画像出力システムを含む情報処理システムに適用され、
前記画像配信装置が、文書を表し、且つ、予め定められたアプリケーションプログラムにより読み込まれた場合に当該アプリケーションプログラムを介して当該文書を表示可能にするデータである文書データを受け付け、
前記受け付けた文書データが表す文書が動画像を含む場合、前記画像配信装置が、当該文書データを読み込んだ前記アプリケーションプログラムによって当該文書として表示される静止画像のうちの、互いに異なる複数の時点のそれぞれにて表示される静止画像を表す静止画像データを生成し、
前記画像配信装置が、前記生成された静止画像データを前記画像出力システムへ送信し、
前記画像出力システムが、前記静止画像データを前記画像配信装置から受信し、
前記画像出力システムが、前記受信された静止画像データのそれぞれに対して順に、当該静止画像データが表す静止画像を表示する表示処理を行う、情報処理方法。
【０１２９】
（付記１０）
付記９に記載の情報処理方法であって、
前記画像配信装置が、前記複数の時点のそれぞれに対応する前記静止画像データと対応付けられた情報であって、当該静止画像データが表す静止画像の表示を継続する時間としての、当該静止画像データに対応する時点から、当該複数の時点のうちの後続する時点までの間隔を表す情報である表示継続時間情報を取得し、
前記画像配信装置が、前記生成された静止画像データと、前記取得された表示継続時間情報と、を前記画像出力システムへ送信し、
前記画像出力システムが、前記静止画像データ、及び、前記表示継続時間情報を前記画像配信装置から受信し、
前記画像出力システムが、前記受信された静止画像データのそれぞれに対して順に、当該静止画像データが表す静止画像を、前記受信された表示継続時間情報のうちの当該静止画像データと対応付けられた表示継続時間情報が表す時間に亘って表示する前記表示処理を行う、情報処理方法。
【０１３０】
（付記１１）
付記１０に記載の情報処理方法であって、
前記画像出力システムが、ユーザにより入力され、且つ、表示中の静止画像を切り替える旨を指示する情報である静止画像切替指示を受け付け、
前記表示継続時間情報は、前記静止画像の表示を継続する時間を表す第１の情報、又は、ユーザから前記静止画像切替指示が受け付けられた時点にて静止画像の表示を終了する旨を表す第２の情報、を含み、
前記画像出力システムが、表示中の静止画像を表す静止画像データと対応付けられた前記表示継続時間情報が前記第２の情報を含む場合において、前記静止画像切替指示が受け付けられたとき、当該表示中の静止画像の表示を終了する、情報処理方法。
【０１３１】
（付記１２）
画像出力システムと通信可能に接続された画像配信装置であって、
文書を表し、且つ、予め定められたアプリケーションプログラムにより読み込まれた場合に当該アプリケーションプログラムを介して当該文書を表示可能にするデータである文書データを受け付ける文書データ受付手段と、
前記受け付けた文書データが表す文書が動画像を含む場合、当該文書データを読み込んだ前記アプリケーションプログラムによって当該文書として表示される静止画像のうちの、互いに異なる複数の時点のそれぞれにて表示される静止画像を表す静止画像データを生成する静止画像データ生成手段と、
前記生成された静止画像データを前記画像出力システムへ送信する静止画像データ送信手段と、
を備える画像配信装置。
【０１３２】
（付記１３）
付記１２に記載の画像配信装置であって、
前記静止画像データ生成手段は、前記複数の時点のそれぞれに対応する前記静止画像データと対応付けられた情報であって、当該静止画像データが表す静止画像の表示を継続する時間としての、当該静止画像データに対応する時点から、当該複数の時点のうちの後続する時点までの間隔を表す情報である表示継続時間情報を取得するように構成され、
前記静止画像データ送信手段は、前記生成された静止画像データと、前記取得された表示継続時間情報と、を前記画像出力システムへ送信するように構成された画像配信装置。
【０１３３】
（付記１４）
画像出力システムと通信可能に接続された画像配信装置に、
文書を表し、且つ、予め定められたアプリケーションプログラムにより読み込まれた場合に当該アプリケーションプログラムを介して当該文書を表示可能にするデータである文書データを受け付ける文書データ受付手段と、
前記受け付けた文書データが表す文書が動画像を含む場合、当該文書データを読み込んだ前記アプリケーションプログラムによって当該文書として表示される静止画像のうちの、互いに異なる複数の時点のそれぞれにて表示される静止画像を表す静止画像データを生成する静止画像データ生成手段と、
前記生成された静止画像データを前記画像出力システムへ送信する静止画像データ送信手段と、
を実現させるためのプログラム。
【０１３４】
（付記１５）
付記１４に記載のプログラムであって、
前記静止画像データ生成手段は、前記複数の時点のそれぞれに対応する前記静止画像データと対応付けられた情報であって、当該静止画像データが表す静止画像の表示を継続する時間としての、当該静止画像データに対応する時点から、当該複数の時点のうちの後続する時点までの間隔を表す情報である表示継続時間情報を取得するように構成され、
前記静止画像データ送信手段は、前記生成された静止画像データと、前記取得された表示継続時間情報と、を前記画像出力システムへ送信するように構成されたプログラム。
【０１３５】
（付記１６）
画像配信装置と通信可能に接続された画像出力システムであって、
静止画像を表す複数の静止画像データ、及び、当該複数の静止画像データのそれぞれと対応付けられた情報であって、当該静止画像データが表す静止画像の表示を継続する時間を表す情報である表示継続時間情報を前記画像配信装置から受信するように構成されるとともに、
前記受信された静止画像データのそれぞれに対して順に、当該静止画像データが表す静止画像を、前記受信された表示継続時間情報のうちの当該静止画像データと対応付けられた表示継続時間情報が表す時間に亘って表示する表示処理を行うように構成された画像出力システム。
【０１３６】
（付記１７）
付記１６に記載の画像出力システムであって、
ユーザにより入力され、且つ、表示中の静止画像を切り替える旨を指示する情報である静止画像切替指示を受け付けるように構成され、
前記表示継続時間情報は、前記静止画像の表示を継続する時間を表す第１の情報、又は、ユーザから前記静止画像切替指示が受け付けられた時点にて静止画像の表示を終了する旨を表す第２の情報、を含み、
前記画像出力システムは、更に、
表示中の静止画像を表す静止画像データと対応付けられた前記表示継続時間情報が前記第２の情報を含む場合において、前記静止画像切替指示が受け付けられたとき、当該表示中の静止画像の表示を終了するように構成された画像出力システム。
【０１３７】
（付記１８）
画像配信装置と通信可能に接続された画像出力システムに、
静止画像を表す複数の静止画像データ、及び、当該複数の静止画像データのそれぞれと対応付けられた情報であって、当該静止画像データが表す静止画像の表示を継続する時間を表す情報である表示継続時間情報を前記画像配信装置から受信させるとともに、
前記受信された静止画像データのそれぞれに対して順に、当該静止画像データが表す静止画像を、前記受信された表示継続時間情報のうちの当該静止画像データと対応付けられた表示継続時間情報が表す時間に亘って表示する表示処理を行わせるためのプログラム。
【０１３８】
（付記１９）
付記１８に記載のプログラムであって、
ユーザにより入力され、且つ、表示中の静止画像を切り替える旨を指示する情報である静止画像切替指示を受け付けさせるとともに、
前記表示継続時間情報は、前記静止画像の表示を継続する時間を表す第１の情報、又は、ユーザから前記静止画像切替指示が受け付けられた時点にて静止画像の表示を終了する旨を表す第２の情報、を含み、
前記画像出力システムに、更に、
表示中の静止画像を表す静止画像データと対応付けられた前記表示継続時間情報が前記第２の情報を含む場合において、前記静止画像切替指示が受け付けられたとき、当該表示中の静止画像の表示を終了させるためのプログラム。
【産業上の利用可能性】
【０１３９】
本発明は、文書データを静止画像データに変換し、当該静止画像データを送信する画像配信装置と、静止画像データを受信して出力する画像出力システムと、を含む情報処理システム等に適用可能である。
【符号の説明】
【０１４０】
１      情報処理システム
１０    画像配信装置
１１    文書データ受付部
１２    静止画像データ生成部
１３    静止画像データ記憶部
１４    静止画像データ送信部
２０    携帯電話機
２１    静止画像データ受信部
２２    静止画像データ転送部
２３    静止画像切替指示送信部
３０    プロジェクタ装置
３１    静止画像データ受信部
３２    静止画像切替指示受信部
３３    静止画像表示部
１００  情報処理システム
１１０  画像配信装置
１１１  文書データ受付部
１１２  静止画像データ生成部
１１３  静止画像データ送信部
１２０  画像出力システム
ＮＷ    通信回線
【図１】
2011182208.tif 000003
【図２】
2011182208.tif 000004
【図３】
2011182208.tif 000005
【図４】
2011182208.tif 000006
【図５】
2011182208.tif 000007